(57)【特許請求の範囲】
【請求項１】
ロール状媒体を支持する供給部と、
前記供給部から供給された前記ロール状媒体に印字する印字部と、
前記ロール状媒体の一端が固定され、前記印字部を通過した前記ロール状媒体を巻き取る巻取軸部材と、前記巻取軸部材を回転駆動させる駆動部材と、を有する巻取部と、を備え、
前記巻取軸部材は、
前記駆動部材を回転可能に支持する支持軸と、
前記支持軸の軸方向に移動可能に設けられ、前記駆動部材と共に回転する芯部材と、
前記ロール状媒体が巻き付けられる周面を有し、前記支持軸の径方向に移動可能に設けられた外径部材と、有し、
前記芯部材は、前記支持軸の径方向において前記外径部材を支持する凸部を有し、
前記外径部材は、前記支持軸の径方向において前記凸部が進退する凹部と、前記外径部材の一端に形成されて前記支持軸の径方向に移動可能に前記駆動部材に支持される第１ガイド部と、前記外径部材の他端に形成されて前記支持軸の軸方向に移動可能に前記芯部材に支持される第２ガイド部と、を有する、プリンタ。
【請求項２】
前記巻取軸部材は、前記芯部材を一方向へ付勢する付勢部材を有し、
前記外径部材は、前記付勢部材によって付勢された前記芯部材を介して、前記支持軸の径方向における外側へ移動される、
請求項１に記載のプリンタ。
【請求項３】
前記芯部材には、前記ロール状媒体の一端を保持する媒体保持部が設けられ、
前記媒体保持部は、前記一端が載せられる載置部材と、前記一端を前記載置部材との間に挟んで保持する保持部材と、を有する、
請求項１に記載のプリンタ。
【請求項４】
前記保持部材と前記載置部材には、前記ロール状媒体の前記一端を挟んで保持する平坦な保持面が形成されている、
請求項３に記載のプリンタ。
【請求項５】
前記保持部材の、前記支持軸の周方向における一側には、前記保持部材と前記載置部材との間に保持された前記ロール状媒体の一端から、前記ロール状媒体が前記支持軸の周方向に折り返されて巻き付けられる曲面が形成されている、
請求項４に記載のプリンタ。
【請求項６】
前記芯部材の、前記支持軸の軸方向における一端部の外周面には、前記載置部材の前記保持面に隣接する部分に、前記支持軸の径方向において前記載置部材の前記保持面よりも前記径方向の内側に位置するように切り欠きが形成されている、
請求項４に記載のプリンタ。
【請求項７】
前記巻取軸部材は、前記支持軸の周方向において、前記媒体保持部とは反対側の位置と、前記媒体保持部の両側の位置とにそれぞれ配置された複数の前記外径部材を有する、
請求項３に記載のプリンタ。
【請求項８】
前記芯部材は、一端が前記駆動部材に支持され、他端の外径が、前記複数の外径部材が前記支持軸の径方向における内側へ移動したときに前記複数の外径部材の前記周面がなす外径よりも小さい、
請求項７に記載のプリンタ。
【発明の詳細な説明】
【技術分野】
【０００１】
本発明は、プリンタに関する。
【背景技術】
【０００２】
プリンタとしては、例えば、ロール紙や、剥離紙（台紙）にラベルが重ねられたラベル紙等のロール状媒体に印字を行うプリンタが知られている。この種のプリンタには、ロール状媒体の一端が取り付けられてロール状媒体を巻き取る巻取軸部材を備えるものがある。【０００３】
巻取軸部材を備えるプリンタでは、ロール状媒体を巻取軸部材に巻き取った後、ロール状媒体を巻取軸部材からスムーズに抜き取るために、巻取軸部材の外径が小さくなるように変形する構造がある。このため、関連技術のプリンタとしては、巻取軸部材の外周部の一部に、巻取軸部材の径方向に弾性変形可能な変形部が形成されており、巻取軸部材からロール状媒体を抜き取るときに変形部を変形させる構造がある（特許文献１）。
【先行技術文献】
【特許文献】
【０００４】
【特許文献１】特開２０００−３１３５５２号公報
【発明の概要】
【発明が解決しようとする課題】
【０００５】
しかしながら、上述した関連技術の構造では、巻取軸部材の外径が、巻取軸部材に巻き付けられたロール状媒体の軸方向にわたって均等に変化しないので、ロール状媒体を巻取軸部材の軸方向に沿って移動させて、ロール状媒体を巻取軸部材から取り外すときの操作性が乏しい。【０００６】
開示の技術は、上記に鑑みてなされたものであって、ロール状媒体を巻取軸部材から取り外すときの操作性を高めることができるプリンタを提供することを目的とする。
【課題を解決するための手段】
【０００７】
本願の開示するプリンタの一態様は、ロール状媒体を支持する供給部と、前記供給部から供給された前記ロール状媒体に印字する印字部と、前記ロール状媒体の一端が固定され、前記印字部を通過した前記ロール状媒体を巻き取る巻取軸部材と、前記巻取軸部材を回転駆動させる駆動部材と、を有する巻取部と、を備え、前記巻取軸部材は、前記駆動部材を回転可能に支持する支持軸と、前記支持軸の軸方向に移動可能に設けられ、前記駆動部材と共に回転する芯部材と、前記ロール状媒体が巻き付けられる周面を有し、前記支持軸の径方向に移動可能に設けられた外径部材と、有し、前記芯部材は、前記支持軸の径方向において前記外径部材を支持する凸部を有し、前記外径部材は、前記支持軸の径方向において前記凸部が進退する凹部と、前記外径部材の一端に形成されて前記支持軸の径方向に移動可能に前記駆動部材に支持される第１ガイド部と、前記外径部材の他端に形成されて前記支持軸の軸方向に移動可能に前記芯部材に支持される第２ガイド部と、を有する。
【発明の効果】
【０００８】
本願の開示するプリンタの一態様によれば、ロール状媒体を巻取軸部材から取り外すときの操作性を高めることができる。
【図面の簡単な説明】
【０００９】
【図１】図１は、実施例のプリンタ全体を示す模式図である。
【図２】図２は、実施例のプリンタの巻取部の巻取軸部材を示す斜視図である。
【図３】図３は、実施例のプリンタの巻取部の巻取軸部材を示す分解斜視図である。
【図４】図４は、実施例における芯部材を示す側面図である。
【図５】図５は、実施例における外径部材を示す断面図である。
【図６】図６は、実施例における外径部材の凹部を示す平面図である。
【図７Ａ】図７Ａは、実施例における巻取軸部材について外径部材が径方向の外側に位置する状態を示す縦断面図である。
【図７Ｂ】図７Ｂは、実施例における巻取軸部材について外径部材が径方向の内側に位置する状態を示す縦断面図である。
【図８Ａ】図８Ａは、実施例における巻取軸部材について外径部材が径方向の外側に位置する状態を示す横断面図である。
【図８Ｂ】図８Ｂは、実施例における巻取軸部材について外径部材が径方向の内側に位置する状態を示す横断面図である。
【図９Ａ】図９Ａは、実施例における巻取軸部材について外径部材が径方向の外側に位置する状態を示す側面図である。
【図９Ｂ】図９Ｂは、実施例における巻取軸部材について外径部材が径方向の内側に位置する状態を示す側面図である。
【図１０Ａ】図１０Ａは、実施例における巻取軸部材について外径部材が径方向の外側に位置する状態を、支持軸の軸方向から示す正面図である。
【図１０Ｂ】図１０Ｂは、実施例における巻取軸部材について外径部材が径方向の内側に位置する状態を、支持軸の軸方向から示す正面図である。
【発明を実施するための形態】
【００１０】
以下に、本願の開示するプリンタの実施例を図面に基づいて詳細に説明する。なお、以下の実施例によって、本願の開示するプリンタが限定されるものではない。
【実施例】
【００１１】
（プリンタの構成）
実施例のプリンタは、ロール状媒体として、ロール紙（連続紙）や、ラベルが剥離紙に重ねられたラベル紙（シール紙）等の感熱紙に印字を行うサーマルプリンタである。本実施例のプリンタは、一例としてラベル紙に印字を行うものとして説明するが、ロール状媒体に限定されるものではない。【００１２】
図１は、実施例のプリンタ全体を示す模式図である。図１に示すように、実施例のプリンタ１は、ロール状媒体としてのラベル紙３を支持する供給部６と、供給部６から供給されたラベル紙３に印字する印字部７と、印字部７を通過したラベル紙３を巻き取る巻取部８と、を備える。図１において、プリンタ１の幅方向をＸ方向とし、プリンタ１の奥行き方向をＹ方向とし、プリンタの高さ方向をＺ方向として示す。図１以降においても、Ｘ、Ｙ、Ｚ方向について図１と同様に示す。【００１３】
供給部６は、ラベル紙３を支持する回転軸６ａを有する。印字部７は、ラベル紙３に印字するサーマルヘッド１１と、サーマルヘッド１１との間に挟まれたラベル紙３を送るプラテンローラ１２と、サーマルヘッド１１を支持するヘッド支持部材１３と、サーマルヘッド１１とプラテンローラ１２との間を通過するラベル紙を案内するガイド部材１９と、を有する。巻取部８は、ラベル紙３の一端が固定されてラベル紙３を巻き取る巻取軸部材２１と、巻取軸部材２１を回転駆動させる駆動部材としての駆動ギア２２と、を有する。巻取部８の詳細については後述する。【００１４】
また、プリンタ１は、供給部６から供給されたラベル紙３が、印字部７を通って巻取部８へ搬送される搬送路４１を有しており、搬送路４１に沿って搬送ローラ４２が配置されている。さらに、プリンタ１は、巻取部８の駆動ギア及び印字部７のプラテンローラ１２を回転駆動する駆動部９を備える。駆動部９は、駆動ギア２２に駆動力を伝達する伝達ギア５１と、伝達ギア５１及びプラテンローラ１２を駆動するタイミングベルト５２と、タイミングベルト５２を駆動する駆動モータ５３と、駆動モータ５３に電力を供給する電源５４と、を有する。プリンタ１は、図１に示すように、供給部６のラベル紙３が反時計方向へ回転してラベル紙３を供給し、巻取部８の巻取軸部材２１が時計方向に回転してラベル紙３を巻き取る。【００１５】
（巻取軸部材の構成）
図２は、実施例のプリンタ１の巻取部８の巻取軸部材２１を示す斜視図である。図３は、実施例のプリンタ１の巻取部８の巻取軸部材２１を示す分解斜視図である。巻取軸部材２１には、巻き芯が取り付けられずに、巻取軸部材２１に固定されたラベル紙３の一端から、ラベル紙３が巻取軸部材２１まわりに直接巻き付けられる。また、巻取軸部材２１には、印字部７でラベル紙３に印字された後、ラベル紙３からラベルが剥がされた剥離紙が巻き取られる。【００１６】
図２及び図３に示すように、巻取部８の巻取軸部材２１は、駆動ギア２２を回転可能に支持する支持軸２３と、支持軸２３の軸方向（Ｌ方向）に移動可能に設けられて駆動ギア２２と共に回転する３つの芯部材２４と、ラベル紙３が巻き付けられる周面２５ａを有して支持軸２３の径方向（Ｒ方向）に移動可能に設けられた外径部材２５と、有する。また、巻取軸部材２１は、芯部材２４を一方向（Ｘ方向）へ付勢する付勢部材としてのコイルバネ２６を有する。本実施例では、支持軸２３の軸方向（Ｌ方向）がＸ方向と平行に配置されている。以下、説明の便宜上、支持軸２３の軸方向（Ｌ方向）、径方向（Ｒ方向）、周方向（Ｃ方向）については、巻取軸部材２１の軸方向、径方向、周方向とも称する。【００１７】
支持軸２３の一端は、フレーム部材２７に固定されており、支持軸２３を介して巻取軸部材２１全体がフレーム部材２７に支持されている。巻取軸部材２１においては、駆動ギア２２と、芯部材２４及び外径部材２５とが一体的に支持軸２３まわりに回転する。フレーム部材２７は、プリンタ１が備える構造体（図示せず）に固定されている。【００１８】
図４は、実施例における芯部材２４を示す側面図である。図３及び図４に示すように、芯部材２４は、中空部を有する筒状に形成されており、中空部に支持軸２３が通されることで、支持軸２３の軸方向（Ｌ方向）に移動可能に支持されている。【００１９】
芯部材２４は、支持軸２３の径方向（Ｒ方向）において外径部材２５の内側を支持する凸部２８を有する。芯部材２４の外周面には、複数の凸部２８が、支持軸２３の径方向（Ｒ方向）に突出して形成されている。各凸部２８は、支持軸２３の周方向（Ｃ方向）に配置される３つの外径部材２５が有する後述の凹部２９に対向するようにそれぞれ配置されている。芯部材２４には、１つの外径部材２５に対応して、支持軸２３の軸方向（Ｌ方向）に間隔をあけて一組の凸部２８が配置されており、一組の凸部２８によって、外径部材２５のＬ方向の両側が安定的に支持される。【００２０】
また、凸部２８には、巻取軸部材２１の軸方向（Ｌ方向）における一側に、巻取軸部材２１の軸方向（Ｌ方向）に対して傾斜する傾斜面２８ａが形成されている。凸部２８は、巻取軸部材２１の軸方向に移動したときに、外径部材２５の後述する凹部２９の傾斜面２９ａと互いに摺接することで、巻取軸部材２１の径方向に対して外径部材２５をスムーズに移動させる。【００２１】
また、芯部材２４には、ラベル紙３の一端を保持する媒体保持部３０が設けられている。媒体保持部３０は、ラベル紙３の一端が載せられる載置部材３０ａと、ラベル紙３の一端を載置部材３０ａとの間に挟んで保持する保持部材３０ｂと、を有する。【００２２】
載置部材３０ａは、平板状に形成されており、芯部材２４に対して着脱可能に設けられている。保持部材３０ｂは、基端が芯部材２４に一体に形成されており、先端が芯部材２４の径方向（Ｒ方向）に対して弾性変形可能なクリップ状に形成されている。載置部材３０ａと保持部材３０ｂには、互いに対向する面に、ラベル紙３の一端を挟んで保持する平坦な保持面３０ｃ、３０ｄが形成されている。平坦な保持面３０ｃ、３０ｄの間にラベル紙３の一端が挟まれることにより、媒体保持部３０によるラベル紙３の保持状態の安定性が高められる。【００２３】
また、保持部材３０ｂには、ラベル紙３が巻き付けられる周面３０ｅが円弧状に形成されている。保持部材３０ｂの周面３０ｅは、３つの外径部材２５が巻取軸部材２１の径方向の外側に位置するときに（図８Ａ参照）、３つの外径部材２５の各周面２５ａと同一円周上に位置するように形成されている。これにより、巻取軸部材２１に巻き取られるラベル紙３の巻取状態の安定性が高められる。【００２４】
また、保持部材３０ｂにおける支持軸２３の周方向における一側には、保持部材３０ｂと載置部材３０ａとの間に保持されたラベル紙３の一端から、ラベル紙３が支持軸２３の周方向（Ｃ方向）に折り返されて巻き付けられる曲面３０ｆが形成されている（図８Ａ参照）。曲面３０ｆを有することにより、媒体保持部３０に保持されたラベル紙３の一端からラベル紙３が折り返されて保持部材３０ｂの周面３０ｅに巻き付けられるときに、ラベル紙３が曲面３０ｆに沿って巻き付けられる。このため、媒体保持部３０に保持されたラベル紙３の一端を媒体保持部３０から、支持軸２３の軸方向（Ｌ方向）に抜き取る際に、ラベル紙３と保持部材３０ｂの一側（エッジ）との摩擦が抑えられ、保持部材３０ｂの一側（エッジ）によってラベル紙３を損傷させることが抑えられるので、ラベル紙３を媒体保持部３０から容易かつスムーズに抜き取ることが可能にされている。【００２５】
また、芯部材２４は、駆動ギア２２に対して支持軸２３の軸方向（Ｌ方向）に移動可能に支持されるスライド部３１と、支持軸２３の軸方向（Ｌ方向）に移動操作するための操作部３２と、駆動ギア２２に係合される係合凸部３３と、を有する。【００２６】
スライド部３１は、芯部材２４の一端に形成されており、駆動ギア２２の後述する中心穴２２ｂに嵌め込まれている。操作部３２は、芯部材２４の、巻取軸部材２１の軸方向（Ｌ方向）における一端部に一体に形成されている。図２に示すように、操作部３２の外周面には、載置部材３０ａの保持面に隣接する部分に、巻取軸部材２１の径方向において載置部材３０ａの保持面よりも、径方向（Ｒ方向）の内側に位置するように平坦面をなす切り欠き３２ａが形成されている。このため、巻取軸部材２１にラベル紙３を巻き取った後に媒体保持部３０からラベル紙３の一端を支持軸２３の軸方向（Ｌ方向）へ引き抜く際に、ラベル紙３の一端が操作部３２の外周に衝突することが抑えられ、媒体保持部３０からラベル紙３の一端をスムーズに引き抜くことができる。【００２７】
また、芯部材２４の一端部である操作部３２の内部には、芯部材２４を付勢するコイルバネ２６が設けられている。操作部３２の内周部には、外径部材２５の第２ガイド部３６を、巻取軸部材２１の軸方向（Ｌ方向）に沿って移動可能に支持するガイド部３４が形成されている。芯部材２４の係合凸部３３は、スライド部３１から巻取軸部材２１の径方向（Ｒ方向）に突出されて、スライド部３１に一体に形成されている。【００２８】
芯部材２４は、一端が駆動ギア２２に支持されており、他端に位置する操作部３２の外径が、３つの外径部材２５が支持軸２３の径方向（Ｒ方向）における内側へ移動したときに３つの外径部材２５の周面２５ａがなす外径よりも小さい。このため、巻取軸部材２１からラベル紙３の中心部分を支持軸２３の軸方向（Ｌ方向）へ引き抜く際に、ラベル紙３の中心部分が芯部材２４の操作部３２の外周面に衝突することが避けられ、巻取軸部材２１からラベル紙３をスムーズに引き抜くことができる。【００２９】
図５は、実施例における外径部材２５を示す断面図である。図６は、実施例における外径部材２５の凹部を示す平面図である。図３及び図５、図６に示すように、巻取軸部材２１は、支持軸２３の周方向（Ｃ方向）において、媒体保持部３０とは反対側の位置と、媒体保持部３０の両側の位置とにそれぞれ配置された３つの外径部材２５を有する。このように巻取軸部材２１の周方向（Ｃ方向）に沿って、３つの外径部材２５及び媒体保持部３０が配置されることにより、媒体保持部３０に一端が保持されたラベル紙３が、巻取軸部材２１まわりに安定して巻き付けられる。【００３０】
各外径部材２５には、ラベル紙３が巻き付けられる周面２５ａが円弧状に形成されている。３つの外径部材２５の各周面２５ａは、各外径部材２５が巻取軸部材２１の径方向の外側に位置するときに（図８Ａ参照）、同一円周上に位置するように形成されており、保持部材３０ｂの周面３０ｅと同一円周上となる。これにより、巻取軸部材２１に巻き取られるラベル紙３の巻取状態の安定性が高められる。【００３１】
また、外径部材２５の周面２５ａは、巻取軸部材２１の周方向（Ｃ方向）に対して、巻取軸部材２１まわりの回転角度で８０度〜９０度程度にわたって連続する円弧状に形成されている。このため、巻取軸部材２１の周方向（Ｃ方向）においてラベル紙３を、３つの外径部材２５の周面２５ａと、保持部材３０ｂの周面３０ｅとに跨って安定的に巻き取ることができる。【００３２】
外径部材２５は、支持軸２３の径方向（Ｒ方向）において芯部材２４の凸部２８が進退する凹部２９を有する。凹部２９は、凸部２８が進入可能な大きさに形成されている。外径部材２５には、支持軸２３の軸方向（Ｌ方向）に間隔をあけて一組の凹部２９が配置されており、芯部材２４の一組の凸部２８によって、外径部材２５のＬ方向の両側が安定的に支持される。【００３３】
また、凹部２９内には、巻取軸部材２１の軸方向（Ｌ方向）における一側に、巻取軸部材２１の軸方向（Ｌ方向）に対して傾斜する傾斜面２９ａが形成されている。凹部２９は、巻取軸部材２１の軸方向に移動したときに、芯部材２４の凸部２８の傾斜面２８ａと互いに摺接することで、巻取軸部材２１の径方向に対して外径部材２５をスムーズに移動させる。【００３４】
また、図５に示すように、外径部材２５の凹部２９の周囲には、複数の肉抜き部２５ｂが格子状に配列されて形成されており、外径部材２５の機械的強度を確保すると共に軽量化が図れている。【００３５】
また、外径部材２５は、図３及び図５、図６に示すように、外径部材２５の一端に形成されて巻取軸部材２１の径方向（Ｒ方向）に移動可能に駆動ギア２２に支持される第１ガイド部３５と、外径部材２５の他端に形成されて巻取軸部材２１の軸方向（Ｌ方向）に移動可能に芯部材２４に支持される第２ガイド部３６と、を有する。【００３６】
第１ガイド部３５は、外径部材２５の一端から、巻取軸部材２１の径方向（Ｒ方向）に沿って突出して形成されており、駆動ギア２２の後述するガイド溝３８に挿入されている。第２ガイド部３６は、外径部材２５の他端から、巻取軸部材２１の軸方向（Ｌ方向）に沿って突出して形成されており、芯部材２４のガイド部３４に挿入されている。第２ガイド部３６は、芯部材２４のガイド部３４によって、巻取軸部材２１の軸方向（Ｌ方向）に沿って移動可能に支持されている。【００３７】
巻取軸部材２１のコイルバネ２６は、支持軸２３の外周側に設けられて、芯部材２４の操作部３２の内部に配置されている。コイルバネ２６は、一端が支持軸２３に固定されており、他端が芯部材２４に固定されている。このため、コイルバネ２６は、支持軸２３に対して芯部材をＬ１方向に付勢している。したがって、芯部材２４が支持軸２３に対して移動されるとき、芯部材２４は、コイルバネ２６の付勢力に抗してＬ２方向に引かれると共に、コイルバネ２６の付勢力でＬ１方向へ戻されて自動的に復帰する。そして、外径部材２５は、コイルバネ２６によってＬ１方向へ付勢された芯部材２４によって、巻取軸部材２１の径方向（Ｒ方向）の外側へ移動されている。【００３８】
巻取部８の駆動ギア２２は、図２及び図３に示すように、支持軸２３におけるフレーム部材２７側の端部に固定されており、支持軸２３と一体的に回転される。駆動ギア２２は、上述の駆動部９の伝達ギア５１に噛み合わされるギア２２ａと、巻取軸部材２１を支持する中心穴２２ｂと、を有する。駆動ギア２２の中心穴２２ｂには、芯部材２４の係合凸部３３が係合される係合凹部３７が形成されている。係合凹部３７には、係合凸部３３が、巻取軸部材２１の軸方向（Ｌ方向）に移動可能に支持されている。これにより、芯部材２４の一端は、駆動ギア２２の中心穴２２ｂに対して巻取軸部材２１の軸方向（Ｌ方向）に移動可能に支持されている。また、中心穴２２ｂには、各外径部材２５の第１ガイド部３５を、巻取軸部材２１の径方向（Ｒ方向）に対して移動可能に支持するガイド溝３８が形成されている。【００３９】
なお、本実施例では、芯部材２４に凸部２８が形成されて、外径部材２５に凹部２９が形成されたが、この構造とは逆に、芯部材２４に凹部２９が形成されて、外径部材２５に凸部２８が形成されてもよい。また、巻取軸部材２１は、芯部材２４に周方向に沿って配置された３つの外径部材２５を有するが、外径部材２５の個数が限定されるものではなく、巻取軸部材２１の外径の大きさに応じて、３つ以上の外径部材２５が、芯部材２４の周方向（Ｃ方向）に沿って配置されてもよい。【００４０】
（芯部材と外径部材の動作）
ここで、巻取軸部材２１において、芯部材２４と外径部材２５とが連動する動作について説明する。図７Ａは、実施例における巻取軸部材２１について外径部材２５が径方向（Ｒ方向）の外側に位置する状態を示す縦断面図である。図７Ｂは、実施例における巻取軸部材２１について外径部材２５が径方向（Ｒ方向）の内側に位置する状態を示す縦断面図である。図８Ａは、実施例における巻取軸部材２１について外径部材２５が径方向（Ｒ方向）の外側に位置する状態を示す横断面図である。図８Ｂは、実施例における巻取軸部材２１について外径部材２５が径方向（Ｒ方向）の内側に位置する状態を示す横断面図である。【００４１】
図７Ａ及び図８Ａに示すように、巻取軸部材２１にラベル紙３が巻き取られる際には、３つの外径部材２５が芯部材２４に対して巻取軸部材２１の径方向（Ｒ方向）の外側に位置している。このとき、３つの外径部材２５の内側は、芯部材２４の凸部２８によって支持されおり、外径部材２５の凹部２９が、芯部材２４の凸部２８に対向されていない。したがって、各外径部材２５は、芯部材２４の凸部２８によって巻取軸部材２１の径方向（Ｒ方向）の内側へ移動することが規制されている。【００４２】
次に、巻取軸部材２１からラベル紙３が抜き取られる際には、図７Ｂ及び図８Ｂに示すように、芯部材２４が、巻取軸部材２１の軸方向（Ｌ方向）に沿ってＬ２方向へ移動される。芯部材２４がＬ１方向に移動されることにより、芯部材２４の凸部２８が、外径部材２５の凹部２９に対向する位置に移動されるので、外径部材２５が、巻取軸部材２１の径方向（Ｒ方向）の内側へ移動可能な状態になる。【００４３】
外径部材２５が、巻取軸部材２１の径方向（Ｒ方向）の内側へ移動可能になったとき、巻取軸部材２１に巻き付けられているラベル紙３の中心部分が、巻取軸部材２１の径方向（Ｒ方向）の内側へ広がり、この動作と連動して、外径部材２５が巻取軸部材２１の径方向（Ｒ方向）の内側へ自動的に移動する。このように本実施例では、巻取軸部材２１に巻き付けられたラベル紙３の中心部分の締め付け力を利用することで、外径部材２５を、巻取軸部材２１の径方向（Ｒ方向）の内側へ移動させている。外径部材２５が巻取軸部材２１の径方向（Ｒ方向）の内側へ移動することにより、外径部材２５の凹部２９内に芯部材２４の凸部２８が進入し、巻取軸部材２１の外径（軸径）が小さくなると共に巻取軸部材２１に巻き取られたラベル紙３の中心部分に弛みが生じる。【００４４】
また、図８Ａ及び図８Ｂに示すように、各外径部材２５の周面２５ａ全体が、巻取軸部材２１の径方向（Ｒ方向）の内側へ平行移動することで巻取軸部材２１の外径が小さくなるので、巻取軸部材２１の外径は、巻取軸部材２１の軸方向（Ｌ方向）にわたって均等に小さくなる。このため、ラベル紙３を巻取軸部材２１から容易かつスムーズに引き抜くことができる。【００４５】
また、外径部材２５は、巻取軸部材２１の径方向（Ｒ方向）の内側へ移動するときに、図７Ａ及び図７Ｂに示すように、第１ガイド部３５が、駆動ギア２２のガイド溝３８に沿って、巻取軸部材２１の径方向（Ｒ方向）に案内される。このため、外径部材２５の周面２５ａの姿勢を安定的に、巻取軸部材２１の径方向（Ｒ方向）の内側へ平行移動させることが可能になり、巻取軸部材２１の外径を小さくする動作の信頼性が高められる。【００４６】
巻取軸部材２１からラベル紙３が抜き取られた後、芯部材２４は、コイルバネ２６の付勢力によって、巻取軸部材２１の軸方向におけるＬ１方向へ戻される。芯部材２４がＬ１方向へ移動されることに伴って、外径部材２５の凹部２９内に進入している芯部材の凸部２８が、凹部２９に対して移動し、凹部２９の傾斜面２９ａと凸部２８の傾斜面２８ａとが互いに摺接することによって、凸部２８が凹部２９内からスムーズに退出する。芯部材２４が更にＬ１方向へ移動されることで、芯部材の凸部２８によって外径部材２５の内側が支持され、凸部２８によって外径部材２５が、巻取軸部材２１の径方向（Ｒ方向）の外側へ移動される。これにより、巻取軸部材２１は、各外径部材２５が巻取軸部材２１の径方向（Ｒ方向）の外側に位置する状態に復帰する。【００４７】
（巻取軸部材の操作）
以上のように構成された巻取軸部材２１の操作について説明する。図９Ａは、実施例における巻取軸部材２１について外径部材２５が径方向（Ｒ方向）の外側に位置する状態を示す側面図である。図９Ｂは、実施例における巻取軸部材２１について外径部材２５が径方向（Ｒ方向）の内側に位置する状態を示す側面図である。図１０Ａは、実施例における巻取軸部材２１について外径部材２５が径方向（Ｒ方向）の外側に位置する状態を、支持軸２３の軸方向（Ｌ方向）から示す正面図である。図１０Ｂは、実施例における巻取軸部材２１について外径部材２５が径方向（Ｒ方向）の内側に位置する状態を、支持軸２３の軸方向から示す正面図である。【００４８】
まず、巻取軸部材２１には、ラベル紙３の一端が、媒体保持部３０の載置部材３０ａの保持面３０ｃと、保持部材３０ｂの保持面３０ｄとの間に挟まれて保持される。図９Ａ及び図１０Ａに示すように、巻取軸部材２１にラベル紙３が巻き取られる際、３つの外径部材２５の周面２５ａが、巻取軸部材２１の径方向（Ｒ）の外側へ突出されている。そして、駆動ギア２２の回転に伴って駆動ギア２２と一体的に巻取軸部材２１が回転されることにより、ラベル紙３は、３つの外径部材２５の各周面２５ａと、媒体保持部３０の保持部材３０ｂの周面３０ｅとに跨って巻き取られる。【００４９】
次に、図９Ｂ及び図１０Ｂに示すように、巻取軸部材２１からラベル紙３を抜き取るとき、ユーザーが操作部３２を、巻取軸部材２１の軸方向（Ｌ方向）におけるＬ２方向へ引くことにより、芯部材２４が駆動ギア２２に対してＬ２方向に移動される。このとき、芯部材２４は、コイルバネ２６の付勢力に抗してＬ２方向へ移動される。そして、芯部材２４は、支持軸２３に対してＬ１方向にスライド移動され、芯部材２４の凸部２８が、外径部材２５の凹部２９に対向する位置に移動される。これにより、上述したように、各外径部材２５の凹部２９内に芯部材２４の凸部２８が進入することで、外径部材２５が巻取軸部材２１の径方向（Ｒ方向）の内側へ移動され、巻取軸部材２１の外径が小さくなる。【００５０】
外径が小さくなった巻取軸部材２１からラベル紙３を抜き取った後、Ｌ２方向へ引かれた操作部３２をユーザーが離すことにより、芯部材２４は、コイルバネ２６の付勢力によって、巻取軸部材２１の軸方向（Ｌ方向）におけるＬ１方向へ戻される。これにより、上述したように、各外径部材２５の凹部２９内から芯部材２４の凸部２８が退出し、外径部材２５が巻取軸部材２１の径方向（Ｒ方向）の外側へ移動され、巻取軸部材２１の外径が大きくなる。このように、巻取軸部材２１は、芯部材２４の操作部３２をＬ２方向へ引く力を解除することで、各外径部材２５が巻取軸部材２１の径方向（Ｒ方向）の外側に位置する状態に自動的に復帰する。【００５１】
上述したように実施例のプリンタ１の巻取部８の巻取軸部材２１は、支持軸２３の軸方向（Ｌ方向）に移動可能に設けられて駆動ギア２２と共に回転する芯部材２４と、支持軸２３の径方向（Ｒ方向）に移動可能に設けられた外径部材２５と、有する。芯部材２４は、支持軸２３の径方向（Ｒ方向）において外径部材２５を支持する凸部２８を有する。外径部材２５は、支持軸２３の径方向（Ｒ方向）において凸部２８が進退する凹部２９と、外径部材２５の一端に形成されて支持軸２３の径方向（Ｒ方向）に移動可能に駆動ギア２２に支持される第１ガイド部３５と、外径部材２５の他端に形成されて支持軸２３の軸方向（Ｌ方向）に移動可能に芯部材２４に支持される第２ガイド部３６と、を有する。【００５２】
これにより、外径部材２５全体が芯部材２４の径方向の内側へ移動することによって、巻取軸部材２１の軸方向（Ｌ方向）にわたって巻取軸部材２１の外径を均等に小さくできるので、巻取軸部材２１の軸方向（Ｌ方向）に沿ってラベル紙３をスムーズに抜き取ることができる。このため、巻取軸部材２１に巻き取られたラベル紙３を巻取軸部材２１から容易かつスムーズに取り外すことが可能になり、ラベル紙３を巻取軸部材２１から取り外すときの操作性を高めることができる。また、ラベル紙３が外径部材２５に巻き取られるときに、巻取軸部材２１の軸方向（Ｌ方向）において外径部材２５の周面２５ａにわたってラベル紙３が巻き付けられるので、ラベル紙３の巻取状態の安定性を高めることができる。【００５３】
また、巻取軸部材２１の外径部材２５は、第１ガイド部３５が巻取軸部材２１の径方向（Ｒ方向）に移動可能に支持され、かつ、第２ガイド部３６が巻取軸部材２１の軸方向（Ｌ方向）に移動可能に支持されることにより、外径部材２５が巻取軸部材２１の径方向に対して安定的に径方向（Ｒ方向）へ移動することができると共に、巻取軸部材２１の外径を変化させる構造を簡素化することができる。【００５４】
さらに、巻取軸部材２１の外径が小さくなるとき、外径部材２５が径方向（Ｒ方向）の内側へ移動可能な位置に移動されて、ラベル紙３の巻き付き部分（中心部）によって外径部材２５が径方向（Ｒ方向）の内側へ押し込まれるので、ラベル紙３の巻き付け力を利用して巻取軸部材２１の外径を自動的に小さくすることができる。このため、外径部材２５を巻取軸部材２１の径方向（Ｒ方向）の内側へ移動させるための移動機構が不要になると共に、巻取軸部材２１の外径を小さくする際の操作性を高めることができる。【００５５】
また、実施例のプリンタ１の巻取部８において、巻取軸部材２１の外径部材２５は、コイルバネ２６によって付勢された芯部材２４を介して、支持軸２３の径方向（Ｒ方向）における外側へ移動される。これにより、コイルバネ２６の付勢力によって、外径部材２５が巻取軸部材２１の径方向（Ｒ方向）の外側に位置する状態へ自動的に復帰させることができる。【００５６】
また、実施例のプリンタ１の巻取部８において、巻取軸部材２１の媒体保持部３０は、ラベル紙３の一端が載せられる載置部材３０ａと、ラベル紙３の一端を載置部材３０ａとの間に挟んで保持する保持部材３０ｂと、を有する。これにより、媒体保持部３０にラベル紙３の一端が安定的に保持されるので、ラベル紙３の巻取状態の安定性を高めることができる。【００５７】
また、実施例のプリンタ１の巻取部８の巻取軸部材２１において、媒体保持部３０の保持部材３０ｂと載置部材３０ａには、ラベル紙３の一端を挟んで保持する平坦な保持面３０ｃ、３０ｄが形成されている。平坦な保持面３０ｃ、３０ｄの間にラベル紙３の一端が挟まれることによって、媒体保持部３０によるラベル紙３の保持状態の安定性を高めることができる。【００５８】
また、実施例のプリンタ１の巻取部８において、巻取軸部材２１の保持部材３０ｂの、支持軸２３の周方向（Ｃ方向）における一側には、保持部材３０ｂと載置部材３０ａとの間に保持されたラベル紙３の一端から、ラベル紙３が支持軸２３の周方向（Ｃ方向）に折り返されて巻き付けられる曲面３０ｆが形成されている。これにより、媒体保持部３０に保持された一端から折り返されたラベル紙３は、保持部材３０ｂの曲面３０ｆに沿って巻き付けられる。このため、ラベル紙３の一端を媒体保持部３０から、支持軸２３の軸方向（Ｌ方向）に抜き取る際に、ラベル紙３と保持部材３０ｂの一側（エッジ）との摩擦が抑えられ、ラベル紙３が損傷することが抑えられるので、ラベル紙３を媒体保持部３０から容易かつスムーズに抜き取ることができる。また、保持部材３０ｂの一側によるラベル紙３の一端の損傷が抑えられるので、ラベル紙３の巻取状態に緩みが生じることが抑えられ、巻取状態の安定性を確保することができる。【００５９】
また、実施例のプリンタ１の巻取部８において、巻取軸部材２１の芯部材２４の、支持軸２３の軸方向（Ｌ方向）における一端部の外周面には、載置部材３０ａの保持面３０ｃに隣接する部分に、支持軸２３の径方向において保持面３０ｃよりも径方向（Ｒ方向）の内側に位置するように切り欠き３２ａが形成されている。これにより、媒体保持部３０からラベル紙３の一端を支持軸２３の軸方向（Ｌ方向）へ引き抜く際に、ラベル紙３の一端が操作部３２の外周に衝突することが抑えられ、媒体保持部３０からラベル紙３の一端をスムーズに引き抜くことができる。【００６０】
また、実施例のプリンタ１の巻取部８において、巻取軸部材２１には、支持軸２３の周方向（Ｃ方向）において、複数の外径部材２５が、媒体保持部３０とは反対側の位置と、媒体保持部３０の両側の位置とにそれぞれ配置されている。このように巻取軸部材２１の周方向（Ｃ方向）に沿って、３つの外径部材２５及び媒体保持部３０が配置されることにより、媒体保持部３０に一端が保持されたラベル紙３が、巻取軸部材２１まわりに安定して巻き付けられるので、ラベル紙３の巻取状態の安定性を高めることができる。【００６１】
また、実施例のプリンタ１の巻取部８において、一端が駆動ギア２２に支持された巻取軸部材２１の芯部材２４の他端の外径は、複数の外径部材２５が支持軸２３の径方向における内側へ移動したときに複数の外径部材２５の周面２５ａがなす外径よりも小さい。これにより、巻取軸部材２１からラベル紙３の中心部分を支持軸２３の軸方向（Ｌ方向）へ引き抜く際に、ラベル紙３の中心部分が芯部材２４の操作部３２の外周面に衝突することが避けられ、巻取軸部材２１からラベル紙３をスムーズに引き抜くことができる。【００６２】
なお、本実施例における巻取軸部材２１は、ラベル紙３からラベルが剥がされた剥離紙を巻き取るために適用されたが、ラベル紙３の剥離紙の巻き取る巻取軸部材２１に限定されず、印字されたロール状媒体を巻き取るために用いられてもよい。実施例における巻取軸部材２１は、例えば、複数の転写紙が重ねられた転写ロール紙を巻き取る巻取軸部材として適用されてもよい。また、本実施例における巻取軸部材２１は、支持軸２３を介して一端がフレーム部材２７に支持される、いわゆる片持ち支持構造に適用されたが、片持ち支持構造に限定されるものではなく、巻取軸部材２１の両端がフレーム部材等に支持される両持ち支持構造に適用されてもよい。
【符号の説明】
【００６３】
１  プリンタ
３  ラベル紙（ロール状媒体）
６  供給部
７  印字部
８  巻取部
２１  巻取軸部材
２２  駆動ギア（駆動部材）
２３  支持軸
２４  芯部材
２５  外径部材
２５ａ  周面
２６  コイルバネ（付勢部材）
２８  凸部
２９  凹部
３０  媒体保持部
３０ａ  載置部材
３０ｂ  保持部材
３０ｃ、３０ｄ  保持面
３０ｆ  曲面
３２  操作部
３２ａ  切り欠き
３５  第１ガイド部
３６  第２ガイド部
Ｃ  周方向
Ｌ  軸方向
Ｒ  径方向
【図１】
0006913257.tif 000002
【図２】
0006913257.tif 000003
【図３】
0006913257.tif 000004
【図４】
0006913257.tif 000005
【図５】
0006913257.tif 000006
【図６】
0006913257.tif 000007
【図７Ａ】
0006913257.tif 000008
【図７Ｂ】
0006913257.tif 000009
【図８Ａ】
0006913257.tif 000010
【図８Ｂ】
0006913257.tif 000011
【図９Ａ】
0006913257.tif 000012
【図９Ｂ】
0006913257.tif 000013
【図１０Ａ】
0006913257.tif 000014
【図１０Ｂ】
0006913257.tif 000015